(57)【要約】【課題】スロットマシンへのメダルの補給時に、前面ドアを少しだけ開いてメダルを補給しても、補給メダルの一部がオーバーフロー通路に入らずに、確実にホッパーへ補給できるようにし、かつ、メダル補給の容易化と低コストでドラム装置の大型化等にも対応できる新規なメダルの補給構造を実現する。【解決手段】ホッパー装置のメダル貯留皿の前面壁上縁に略等辺台形状に形成したメダル補給ガイド板を回動自在に固定する。これにより、スロットマシンへのメダルの補給時に、前面ドアを少しだけ開いてメダルを補給しても、メダル補給に必要な空間領域が確保できるので、補給メダルの一部がオーバーフロー通路に入らずに、確実にホッパーへ補給できると共に、メダル補給の容易化と低コストでドラム装置の大型化等にも対応できる新規なメダルの補給構造が実現できる。【選択図】      図１
2004173939.tif 000002
【特許請求の範囲】
【請求項１】
ホッパー装置の前面壁上縁にメダル補給ガイド板を回動自在に固定したことを特徴とするスロットマシンのメダル投入構造。
【請求項２】
ホッパー装置の前記前面壁はメダル貯留皿の前面壁であることを特徴とする請求項１に記載のスロットマシンのメダル投入構造。
【請求項３】
前記メダル補給ガイド板の板面を略等辺台形状としたことを特徴とする請求項１ないし請求項２のいずれかに記載のスロットマシンのメダル投入構造。
【請求項４】
前記メダル補給ガイド板の両底辺部の略中央に回動連結部を設けたことを特徴とする請求項１ないし請求項３のいずれかに記載のスロットマシンのメダル投入構造。
【請求項５】
ホッパー装置の前記前面壁上縁に前記メダル補給ガイド板に対する回動連結部を設けたことを特徴とする請求項１ないし請求項４のいずれかに記載のスロットマシンのメダル投入構造。
【請求項６】
前記メダル補給ガイド板の少なくとも一つの底辺部に姿勢保持部を形成したことを特徴とする請求項１ないし請求項５のいずれかに記載のスロットマシンのメダル投入構造。
【請求項７】
前記姿勢保持部は姿勢保持板を有することを特徴とする請求項１ないし請求項６のいずれかに記載のスロットマシンのメダル投入構造。
【請求項８】
前記姿勢保持部は前記姿勢保持板の一部に形成した凸部を有することを特徴とする請求項１ないし請求項７のいずれかに記載のスロットマシンのメダル投入構造。
【請求項９】
ホッパー装置の前記前面壁上縁に前記姿勢保持部を収容する溝を設けたことを特徴とする請求項１ないし請求項８のいずれかに記載のスロットマシンのメダル投入構造。
【請求項１０】
前記溝に舌片を形成したことを特徴とする請求項１ないし請求項９のいずれかに記載のスロットマシンのメダル投入構造。
【請求項１１】
前記メダル補給ガイド板の板面の一部に切欠き部を形成したことを特徴とする請求項１ないし請求項１０のいずれかに記載のスロットマシンのメダル投入構造。
【請求項１２】
前記メダル補給ガイド板の板面は前記メダル貯留皿に設けられたオーバーフロー通路を被覆可能に形成したことを特徴とする請求項１ないし請求項１１のいずれかに記載のスロットマシンのメダル投入構造。
【発明の詳細な説明】
【０００１】
【発明の属する利用分野】
この発明は、遊技機におけるスロットマシンのメダル投入構造に関するものであり、詳しくは遊技者が着座したままでもメダルの補給が容易に行なえるようにしたスロットマシンのメダル投入構造に関するものである。
【０００２】
【従来の技術】
従来よりスロットマシンの遊技機においては、流行にしたがって遊技機のモデルチェンジを行なう場合に、筐体ごと遊技機全部を取り替えることが行われていたが、近年では、機種替えの容易化を図るために、モデルチェンジする場合、必要とする部分だけを取り替えるようになってきている。特に最近のスロットマシンにおいては、遊技機のドラム装置、ドラム周辺表示板（上部前面化粧板）、遊技制御基板等をユニット化し、前面ドアを上下に分割してスロットユニットを前面ドアの開口に装着すると共に上部ドアを含むスロットユニットを筐体の一側に軸支するように構成し、スロットユニットを筐体に対して交換可能に構成することにより、スロットマシンの機種替えを容易にし、筐体側を再使用できるようにした分離型スロットマシンが知られている。例えば、特許文献１で提案されたスロットマシンは、遊技機の前面のパネル扉を上下に分割し、上方の前扉部分には、ヒンジ装置を介してリール装置と主基板とを備えた表示窓を有する上部ドアを本体箱に対して開閉可能に取り付け、下方部分には、交換可能な装飾パネルを有する下部ドアを取り付けて構成している。このスロットマシンでは、従来、新旧の機種交換は面倒で、手数が掛っていたのを、前扉を交換するだけで新旧の機種交換を迅速に且つ簡便に行なうことができるようにしたものである。そして、メダルの補給機構に関しては、本体箱内又は前扉部分にポッパー装置を取り付けた構造となっており、メダルの払出装置に貯蔵したメダルが減少した場合には、メダルの補給は横開きの前扉を開いて補給する構造となっている。これとは別のメダルの補給機構として、例えば、特許文献２で提案された回胴式遊技機のメダル補給構造は、ホッパータンクの上方にメダル補給用のガイド部材を設け、このガイド部材へフロントドアを開けて、メダルを収納した箱をリールと側面部との間の隙間から進入させてメダルを投入する構造がとられている。また、例えば、特許文献３で提案されたスロットマシンでは、メダル補給機構として、メダル払出機構のホッパーに搭載可能なタンク本体と、該タンク本体の上部に前後動自在に装着した引出し形の補充用シュートを形成し、メダル払出機構のメダル貯留容量を拡大するための補充式メダル払出機構の増設タンクを設けたメダル補給構造がとられている。
【０００３】
【特許文献１】
特開平１０−５２５２５号公報（第４−６頁、図１、図４）
【特許文献２】
特開平４−４４７９０号公報（第２−４頁、図１）
【特許文献３】
特許第３１８５０６２号公報（第２−３頁、図３）
【０００４】
【発明が解決しようとする課題】
上記した特許文献１の発明では、メダルの補給は、ホッパーを筐体底板にレール支持し、ホッパー全体を手前に引き出す構造のために、モータやメダルを多数搭載した大容量のホッパーをスムーズに支持するレール構造及びホッパーと筐体を電気的に接続する配線構造に特別な工夫が必要となり、低コストでメダル補給の容易化を実現しようとすると未だ改良の余地がある。また、特許文献２の発明では、ドラム装置の側方にメダル投入ガイド部材を設ける構造のために、フロントドアを完全に開かないとメダル補給がやりにくいと同時に、ドラム装置の大型化等に対応することができないという問題がある。また、上記した従来のスロットマシンにおけるホッパー装置の一般的な構造は、図８ないし図１０に示すように、スロットマシン１本体の底部に載置されていて、内部にメダル調整ディスクを駆動するためのモータを内蔵するホッパー台座４の上部に矩形容器状のメダル貯留皿３が備えられており、上部のメダル投入口から投入されたメダルをメダルセレクタ（メダル真偽判定選別計数器）２０１を介してメダル貯留皿３にメダルを受入れ、該メダル貯留皿３に溜まったメダルがオーバーフローすると、メダル投入口から投入されたメダルが前記溜まったメダルに当たって弾かれて、オーバーフローメダル誘導スロープに案内されてオーバーフロー通路３１を落下し、ホッパー装置脇に載置されたオーバーフローメダル収容箱５に溜められるように構成されている。このため、オーバーフロー通路３１は、ホッパーの手前側に設けられてオーバーフローメダルをホッパーの側方に流すようになっているのが一般的である。これは、メダルがいっぱいに溜まったとき、メダルセレクタ２０１からのメダルが溜まったメダルに当たって確実にオーバーフロー通路３１に向かうようにするためである。メダル補給機構は、このような構造とされているため、前面ドア２を大きく開いてメダルを補給する場合は問題にならないが、遊技客の邪魔にならないように、少しだけ開いてメダルを補給しようとした場合、補給メダルの一部がオーバーフロー通路３１を通ってオーバーフローメダル収容箱５に入ってしまうという問題があった。そして、特許文献３の発明でも、このような構造を採用しているので、前面ドアを少しだけ開いてメダルを補給しようとした場合、補給メダルの一部が補充用シュートが前に十分引出せない状態が生ずると共に、補充用シュートのガイド板が、引出し時にオーバーフロー穴を覆う構造になっていないため、メダルを補充する際、補充用シュートのガイド板に当たりオーバーフロー穴（オーバーフロー通路）を通ってオーバーフローメダル収容箱に入ってしまうという問題があった。
【０００５】
本発明は、上記諸々の問題に鑑み、その解決しようとする課題は、スロットマシンへのメダルの補給時に、前面ドアを少しだけ開いてメダルを補給しても、補給メダルの一部がオーバーフロー通路に入らずに、確実にホッパーへ補給できるようにし、かつ、メダル補給の容易化と低コストでドラム装置の大型化等にも対応できる新規なメダルの補給構造を実現することを目的とする。
【０００６】
【課題を解決するための手段】
本発明は上記の課題を解決する為になされたものであり、その解決の為に講じた本発明の手段と、その作用は次のとおりである。
【０００７】
請求項１では、ホッパー装置の前面壁上縁にメダル補給ガイド板を回動自在に固定したスロットマシンのメダル投入構造を提供する。
【０００８】
（作用）
該構成により、スロットマシンへのメダルの補給時に、前面ドアを少しだけ開いてメダルを補給しても、メダル補給に必要な空間領域が十分に確保できるので、補給メダルの一部がオーバーフロー通路に入らずに、確実にホッパーへ補給できると共に、メダル補給の容易化と低コストでドラム装置の大型化等にも対応できる新規なメダルの補給構造が実現できる。
【０００９】
請求項２では、請求項１のメダル投入構造において、  ホッパー装置の前記前面壁はメダル貯留皿の前面壁であるスロットマシンのメダル投入構造を提供する。
【００１０】
（作用）
該構成により、スロットマシンへのメダルの補給時に、前面ドアを少しだけ開いてメダルを補給しても、ホッパー装置と前面ドアとの間にメダル補給に必要な空間領域が十分に確保できるので、補給メダルの一部がオーバーフロー通路に入らずに、確実にホッパーへ補給できると共に、メダル補給の容易化と低コストでドラム装置の大型化等にも対応できる新規なメダルの補給構造が実現できる。
【００１１】
請求項３では、請求項１ないし請求項２のいずれかのメダル投入構造において、前記メダル補給ガイド板の板面を略等辺台形状としたスロットマシンのメダル投入構造を提供する。
【００１２】
（作用）
該構成により、スロットマシンへのメダルの補給時に、前面ドアを少しだけ開いてメダルを補給しても、ホッパー装置と前面ドアとの間にメダル補給に必要な空間領域が十分に確保できるので、補給メダルの一部がオーバーフロー通路に入らずに、確実にホッパーへ補給できると共に、メダル補給の容易化と低コストでドラム装置の大型化等にも対応できる新規なメダルの補給構造が実現できる。
【００１３】
請求項４では、請求項１ないし請求項３のいずれかのメダル投入構造において、前記メダル補給ガイド板の両底辺部の略中央に回動連結部を設けたスロットマシンのメダル投入構造を提供する。
【００１４】
（作用）
該構成により、スロットマシンへのメダルの補給時に、前面ドアを少しだけ開いてメダルを補給しても、ホッパー装置と前面ドアとの間にメダル補給に必要な空間領域が十分に確保できるので、補給メダルの一部がオーバーフロー通路に入らずに、確実にホッパーへ補給できると共に、メダル補給の容易化と低コストでドラム装置の大型化等にも対応できる新規なメダルの補給構造が実現できる。
【００１５】
請求項５では、請求項１ないし請求項４のいずれかのメダル投入構造において、ホッパー装置の前記前面壁上縁に前記メダル補給ガイド板に対する回動連結部を設けたスロットマシンのメダル投入構造を提供する。
【００１６】
（作用）
該構成により、スロットマシンへのメダルの補給時に、前面ドアを少しだけ開いてメダルを補給しても、ホッパー装置と前面ドアとの間にメダル補給に必要な空間領域が十分に確保できるので、補給メダルの一部がオーバーフロー通路に入らずに、確実にホッパーへ補給できると共に、メダル補給の容易化と低コストでドラム装置の大型化等にも対応できる新規なメダルの補給構造が実現できる。
【００１７】
請求項６では、請求項１ないし請求項５のいずれかのメダル投入構造において、前記メダル補給ガイド板の少なくとも一つの底辺部に姿勢保持部を形成したスロットマシンのメダル投入構造を提供する。
【００１８】
（作用）
該構成により、スロットマシンへのメダルの補給時に、前面ドアを少しだけ開いてメダルを補給しても、ホッパー装置と前面ドアとの間にメダル補給に必要な空間領域が十分に確保できるので、補給メダルの一部がオーバーフロー通路に入らずに、確実にホッパーへ補給できると共に、メダル補給の容易化と低コストでドラム装置の大型化等にも対応できる新規なメダルの補給構造が実現できる。
【００１９】
請求項７では、請求項１ないし請求項６のいずれかのメダル投入構造において、前記姿勢保持部は姿勢保持板を有するスロットマシンのメダル投入構造を提供する。
【００２０】
（作用）
該構成により、スロットマシンへのメダルの補給時に、前面ドアを少しだけ開いてメダルを補給しても、ホッパー装置と前面ドアとの間にメダル補給に必要な空間領域が十分に確保できるので、補給メダルの一部がオーバーフロー通路に入らずに、確実にホッパーへ補給できると共に、メダル補給の容易化と低コストでドラム装置の大型化等にも対応できる新規なメダルの補給構造が実現できる。
【００２１】
請求項８では、請求項１ないし請求項７のいずれかのメダル投入構造において、前記姿勢保持部は前記姿勢保持板の一部に形成した凸部を有するスロットマシンのメダル投入構造を提供する。
【００２２】
（作用）
該構成により、スロットマシンへのメダルの補給時に、前面ドアを少しだけ開いてメダルを補給しても、ホッパー装置と前面ドアとの間にメダル補給に必要な空間領域が十分に確保できるので、補給メダルの一部がオーバーフロー通路に入らずに、確実にホッパーへ補給できると共に、メダル補給の容易化と低コストでドラム装置の大型化等にも対応できる新規なメダルの補給構造が実現できる。
【００２３】
請求項９では、請求項１ないし請求項８のいずれかのメダル投入構造において、ホッパー装置の前記前面壁上縁に前記姿勢保持部を収容する溝を設けたスロットマシンのメダル投入構造を提供する。
【００２４】
（作用）
該構成により、スロットマシンへのメダルの補給時に、前面ドアを少しだけ開いてメダルを補給しても、ホッパー装置と前面ドアとの間にメダル補給に必要な空間領域が十分に確保できるので、補給メダルの一部がオーバーフロー通路に入らずに、確実にホッパーへ補給できると共に、メダル補給の容易化と低コストでドラム装置の大型化等にも対応できる新規なメダルの補給構造が実現できる。
【００２５】
請求項１０では、請求項１ないし請求項９のいずれかのメダル投入構造において、前記溝に舌片を形成したスロットマシンのメダル投入構造を提供する。
【００２６】
（作用）
該構成により、スロットマシンへのメダルの補給時に、前面ドアを少しだけ開いてメダルを補給しても、ホッパー装置と前面ドアとの間にメダル補給に必要な空間領域が十分に確保できるので、補給メダルの一部がオーバーフロー通路に入らずに、確実にホッパーへ補給できると共に、メダル補給の容易化と低コストでドラム装置の大型化等にも対応できる新規なメダルの補給構造が実現できる。
【００２７】
請求項１１では、請求項１ないし請求項１０のいずれかのメダル投入構造において、前記メダル補給ガイド板の板面の一部に切欠き部を形成したスロットマシンのメダル投入構造を提供する。
【００２８】
（作用）
該構成により、スロットマシンへのメダルの補給時に、前面ドアを少しだけ開いてメダルを補給しても、ホッパー装置と前面ドアとの間にメダル補給に必要な空間領域が十分に確保できるので、補給メダルの一部がオーバーフロー通路に入らずに、確実にホッパーへ補給できると共に、メダル補給の容易化と低コストでドラム装置の大型化等にも対応できる新規なメダルの補給構造が実現できる。
【００２９】
請求項１２では、請求項１ないし請求項１１のいずれかのメダル投入構造において、前記メダル補給ガイド板の板面は前記メダル貯留皿に設けられたオーバーフロー通路を被覆可能に形成したスロットマシンのメダル投入構造を提供する。
【００３０】
（作用）
該構成により、スロットマシンへのメダルの補給時に、前面ドアを少しだけ開いてメダルを補給しても、ホッパー装置と前面ドアとの間にメダル補給に必要な空間領域が十分に確保できるので、補給メダルの一部がオーバーフロー通路に入らずに、確実にホッパーへ補給できると共に、メダル補給の容易化と低コストでドラム装置の大型化等にも対応できる新規なメダルの補給構造が実現できる。
【００３１】
【本発明の実施形態】
図１〜図７は本発明の実施形態のメダル投入構造を示す説明図である。図１はメダル投入構造を示す側面説明図で、１はスロットマシンの筐体、２はスロットマシンの前面ドア、３はホッパー装置の上部に設けられたメダル貯留皿、４はホッパー装置の下部に設けられたホッパー台座、６はメダル補給ガイド板を示す。１０はメダル貯留皿３及びホッパー台座４から構成されるホッパー装置である。２０１は前面ドア２に取り付けられたメダルセレクタ、３１はメダル貯留皿３のオーバーフロー通路、３０１はメダル貯留皿３の前面壁、３０３はメダル貯留皿３の前面壁３０１に形成された舌片を示す。６２１はメダル補給ガイド板６の姿勢保持板６２に形成された凸部である。
【００３２】
【メダル投入構造の構成】
本実施形態のメダル投入構造について説明すると、図１に示すように、筐体１の底部に載置されたホッパー装置１０の上部に設けられたメダル貯留皿３の前面壁３０１上縁にメダル補給ガイド板６が回動自在に設けられている。このメダル補給ガイド板６は、図１の位置では前面ドア２を少し開けた状態で、メダル補給位置へ回動されて、姿勢保持板６２に形成された凸部６２１が前面壁３０１に形成された舌片３０３に引っ掛かることにより、メダル補給ガイド板６の姿勢が保持された状態にあることを示している。この位置で、メダル補給ガイド板６は、オーバーフロー通路３１を覆うように形成されているものであり、前面ドア２が少ししか開かれない状態であっても、補給メダルが投入された場合、オーバーフロー通路３１へ落下しないようになされている。
【００３３】
【メダル補給ガイド板の収納時の説明】
図２は、メダル投入構造の側面概略説明図であり、前面ドア２が閉じられて、前記メダル補給ガイド板６が収納された不使用の状態を示している。メダル補給ガイド板６は、メダル貯留皿３の前面壁３０１上縁においてヒンジ部を軸にして回動自在となるように設けられている。メダル投入口から投入されたメダルは、不図示のメダルセレクタ２０１からメダル貯留皿３へ投入されるようになっている。
【００３４】
更に、図３を参照して、メダル補給ガイド板６が収納された不使用の状態を説明する。図３は、ホッパー装置１０をスロットマシンの前側（正面）から見た概略説明図であり、図中、５はオーバーフローメダル収容箱である。メダル補給ガイド板６は、等辺台形を横置したような形状に構成され、左上部に切欠き６４が形成されているものである。メダル補給ガイド板６の収納は、投入メダル誘導部６０１が下側になるように垂直に回動させて、メダル貯留皿３の前面壁３０１の前面に収納するものである。このメダル補給ガイド板６の切欠き６４を臨む位置に前記メダルセレクタ２０１が配置されており、メダル投入口から投入されたメダルが該メダルセレクタ２０１を介してメダル貯留皿３へ投入されるようになっている。
【００３５】
【メダル補給ガイド板の構成】
次に、図４を参照して、本実施形態のホッパー装置１０に用いたメダル補給ガイド板６の構造及びその取り付け部の構造について説明する。メダル補給ガイド板６は、等辺台形を横置したような形で、左上部に切欠き６４が形成されており、両側縁部及び下縁部にはリブ６１が形成されている。メダル補給ガイド板６の略中央部の両側縁裏面には、図示のように、穴側となるヒンジ部６３，６３がそれぞれ形成されており、等辺台形の下底部に相当する図示の右側縁のリブ６１底辺から前記ヒンジ部６３，６３にかけて略半円板状の姿勢保持板６２が形成されている。この姿勢保持板６２の周縁中央から上方に偏奇した位置に凸部６２１が形成されている。この凸部６２１は、前記したようにメダル補給ガイド板６の姿勢を前面壁３０１に形成された舌片３０３に引っ掛かることにより、保持するために形成されたものである（図１参照）。
【００３６】
メダル補給ガイド板６の両ヒンジ部から下方の部分は、投入メダル誘導部６０１を形成し、前記切欠き６４を形成された上方の部分、すなわち、前記ヒンジ部６３，６３の回動中心軸より上方の部分には、オーバーフロー通路カバー部６０２を形成するように設けられたものである。なお、このオーバーフロー通路カバー部６０２が形成されなくても、図１に示すごとく、前記メダル補給ガイド板６を水平位置よりも更に３０度程起すことで、補給メダルがメダル補給ガイド板６を流下する勢いで大部分の補給メダルは、オーバーフロー通路３１を飛び越えていくので、メダルの補給はやりやすくなる。
【００３７】
また、オーバーフロー通路カバー部６０２の代わりに、オーバーフロー通路カバー部よりも短かくオーバーフロー通路３１を一部覆うメダル飛越誘導部を形成すれば、補給メダルをより確実に飛び越えさせることができる。更に、オーバーフロー通路カバー部６０２の代わりに、投入メダル誘導部６０１のメダル流下端縁にジャンプ台状のメダル飛越誘導部を形成してもよい。
【００３８】
なお、前記したように、メダル補給ガイド板６を等辺台形を横置したような形状に形成したのは、メダル補給ガイド板６をメダル補給位置に回動して起してセットしたとき、メダル補給ガイド板６の前面側となるリブ６１が、筐体１に前面ドア２を結合する一側のヒンジを軸として前面ドア２を開いたとき、該前面ドア２のヒンジ部と開放端とを結ぶ開放角度に近似した角度が構成されるようになすと共に、オーバーフロー通路カバー部６０２の流下端縁が、オーバーフローメダルをオーバーフローメダル収容箱５の中央に向けて流すために、メダル流下につれて徐々に後退するように斜めに設けられたオーバーフロー通路３１の角度に近似した角度が構成されるようになしたものである（図６参照）。
【００３９】
これにより、メダルを補給する際に、前面ドア２を少ししか開かなくても、メダル補給に必要な空間領域が十分確保することができるようにしたものである。なお、オーバーフロー通路３１が後退することなく設けられる場合や、前述のようにオーバーフロー通路カバー部６０２を設けない場合については、リブ６１側のみが前記前面ドア２の開放角度に近似した角度が構成されるようになされていれば充分である。また、このメダル補給に必要とする空間領域に余裕などがある場合は、メダル補給ガイド板６の形状は、図示したような等辺台形を横置したような形状に限定されるものでなく、矩形状のものやその他の形状のものであってもよい。
【００４０】
【メダル補給ガイド板の取付部の説明】
図５は、メダル補給ガイド板６をメダル補給位置に回動した状態の図３の部分拡大説明図であり、メダル貯留皿３の前面壁３０１上縁に設けた軸側ヒンジ集合形成板７の軸側ヒンジ部７０に形成したヒンジ７１にメダル補給ガイド板６の前記ヒンジ部６３が篏入されて、ヒンジ部６３を軸にして、メダル補給ガイド板６が回動自在となるように設けられている。メダル貯留皿３の前面壁３０１上縁に溝が形成されており、該溝に略半円板状の姿勢保持板６２が受入れられるように設けられている。この溝の更に下方に、前記舌片３０３が形成されるように、スリット３０２が形成されており、該舌片３０３の先端により前記姿勢保持板６２の凸部６２１が弾性的に係止されるようになされている。
【００４１】
【メダル補給状態の説明】
図６は、スロットマシンの前面ドア２を少しだけ開いた状態を示している。この前面ドア２の開放により、ホッパー装置１０がスロットマシンの前面から前記メダル補給ガイド板６が露呈するので、このメダル補給ガイド板６を図１に示すように、引き起こして、前記姿勢保持板６２に形成された凸部６２１が、メダル貯留皿３の前面壁３０１上縁に形成された前記舌片３０３を弾性変位させつつ乗り越えさせた位置で、メダル補給ガイド板６をメダル補給位置に保持させる。そして、例えば、メダル補給スコップ又はメダル補給箱等を使用して、前面ドア２の開放側からメダル補給ガイド板６へメダルを流し込むと、補給メダルは投入メダル誘導部６０１を流下してメダル貯留皿３内へ貯留される。このとき、メダル補給ガイド板６のオーバーフロー通路カバー部６０２によりメダル貯留皿３のオーバーフロー通路３１が覆われているので、補給メダルがこのオーバーフロー通路３１から外部のオーバーフローメダル収容箱５へ落下することが防止される。図６において、２０１はメダルセレクタ、４１はホッパー装置１０のメダル調整回転板を示している。
【００４２】
従来のメダル補給は、前記したように前面ドアを開放してからホッパー装置へメダルを投入する手順で行なわれているが、ホッパー装置の上部領域には電源部が設けられているため、ホッパー装置上端と電源下端との隙間が小さく、補給を行ないづらいという問題があったが、本実施形態のメダル補給の構造によれば、このような従来の問題を解決し、ホッパー容量を減少させることなく構成することができる利点を有するものである。
【００４３】
【メダル補給ガイド板の収納状態の説明】
図７は、メダル補給ガイド板６を収納して前面ドア２を閉じた状態を示す平面概略説明図である。図２に示すように、メダル補給ガイド板６を投入メダル誘導部６０１を下にしてヒンジ部６３を軸に回動させることにより、メダル貯留皿３の前面壁３０１の前側部に垂下して収納することができる。このとき、メダル補給ガイド板６の左上部に切欠き６４が形成されているので、遊技者がメダル投入口から投入したメダルは、図示のメダルセレクタ２０１を介して、メダル補給ガイド板６に遮られることなく、ホッパー装置１０のメダル貯留皿３内へ流下されるように構成されている。
【００４４】
この構成により、本実施形態では、メダル補給ガイド板６の収納時には、ホッパー装置１０の前面に垂下させる構造としたので、ホッパー装置１０の前面と前面ドア２とのスペースを利用して大型のメダル補給ガイド板６を設ける場合は、更にメダルを補給しやすくなるものである。
【００４５】
また、本実施形態では、前面ドア２を閉鎖した状態において、万一、この閉鎖部の隙間からカード等を差し込んでスロット本体内の遊技制御部等へ不正行為をなそうとしても、メダル補給ガイド板６の板面に突き当たるので、カード等の差し込み侵入を有効に防ぐことができるものである。
【００４６】
【発明の効果】
本発明は、次の効果を奏するものである。
【００４７】
本発明のメダル投入構造により、スロットマシンへのメダルの補給時に、前面ドアを少しだけ開いてメダルを補給しても、メダル補給に必要な空間領域が十分に確保できるので、補給メダルの一部がオーバーフロー通路に入らずに、確実にホッパーへ補給できると共に、メダル補給の容易化と低コストでドラム装置の大型化等にも対応できる新規なメダルの補給構造が実現できる。
【００４８】
本発明のメダル投入構造により、メダル補給ガイド板をホッパー装置前面壁の上縁で軸支し、メダル補給ガイド板の収納時には、ホッパー装置前面に垂下させる構造ならば、ホッパー装置の前面と前面ドアとのスペースを利用して大型のメダル補給部を設けることができるため、更にメダルを補給しやすくなる効果を奏する。
【図面の簡単な説明】
【図１】メダル投入構造のメダル補給概略説明図である。
【図２】メダル投入構造の概略側面図である。
【図３】ホッパー装置の正面から見た概略説明図である。
【図４】メダル補給ガイド板の構成説明図である。
【図５】メダル補給ガイド板結合部の拡大説明図である。
【図６】メダル投入構造のメダル補給概略説明図である。
【図７】メダル補給ガイド板の収納状態説明図である。
【図８】従来のメダル補給構造の説明図である。
【図９】従来のメダル補給フローの説明図である。
【図１０】従来のメダルオーバーフローの説明図である。
【符号の説明】
１        スロットマシンの筐体
２        前面ドア
３        メダル貯留皿
４        ホッパー受台
６        メダル補給ガイド板
１０        ホッパー装置
６２        姿勢保持板
【図１】
2004173939.tif 000003
【図２】
2004173939.tif 000004
【図３】
2004173939.tif 000005
【図４】
2004173939.tif 000006
【図５】
2004173939.tif 000007
【図６】
2004173939.tif 000008
【図７】
2004173939.tif 000009
【図８】
2004173939.tif 000010
【図９】
2004173939.tif 000011
【図１０】
2004173939.tif 000012